(57)【要約】【課題】使用者が蓋体を開栓している感覚をより一層得ることができる蓋付き容器を提供すること。【解決手段】内容物が収容される有底筒状の容器本体２と、容器本体２の口部３に離脱可能に螺着された有頂筒状の蓋体４と、を備え、蓋体４には、口部３に離脱可能に配設され、蓋体４と口部３との間をシールするシール筒部３４が設けられており、蓋体４と口部３との螺着が解除された状態で、シール筒部３４が口部３に嵌合されて蓋体４と口部３との間のシールを維持している。【選択図】図１
2020001794.tif 000002
【特許請求の範囲】
【請求項１】
内容物が収容される有底筒状の容器本体と、
前記容器本体の口部に離脱可能に螺着された有頂筒状の蓋体と、
を備える蓋付き容器であって、
前記蓋体には、前記口部に離脱可能に配設され、前記蓋体と前記口部との間をシールするシール部が設けられており、
前記蓋体と前記口部との螺着が解除された状態で、前記シール部が前記口部に嵌合されて前記蓋体と前記口部との間のシールを維持していることを特徴とする蓋付き容器。
【請求項２】
前記蓋体が、前記口部に離脱可能に螺着された有頂筒状の蓋本体と、前記蓋本体に破断可能な弱化部を介して連結され、前記口部に対して容器軸に沿う前記容器本体の底部側から係止する分離リングと、を有し、
前記蓋体と前記口部との螺着が解除された状態で、前記分離リングが前記蓋本体から分離されていることを特徴とする請求項１に記載の蓋付き容器。
【請求項３】
前記口部には、前記蓋体が離脱可能に螺着された筒状のネジ筒部材が当該口部に対して前記容器軸回りに回転不能に装着されており、
前記シール部が、前記ネジ筒部材に離脱可能に嵌合されていることを特徴とする請求項１または２に記載の蓋付き容器。
【発明の詳細な説明】
【技術分野】
【０００１】
本発明は、蓋付き容器に関する。
【背景技術】
【０００２】
容器本体が開栓されたことを容易に視認できるようにするために、内容物が収容される有底筒状の容器本体と、容器本体の口部に離脱可能に螺着された有頂筒状の蓋本体、及び、蓋本体に破断可能な弱化部を介して連結され、口部の係止部に対して下方から係止する分離リングを有する蓋体と、を備える蓋付き容器が提案されている（例えば、特許文献１参照）。このような蓋付き容器では、蓋体の口部に対する螺着を解除することによって弱化部を破断して分離リングを蓋本体から分離させており、弱化部が破断する際に生じる破断音や破断時の感触によって、使用者が蓋体を開栓している感覚を得ることができる。
【先行技術文献】
【特許文献】
【０００３】
【特許文献１】特開２００７−２９７０９７号公報
【発明の概要】
【発明が解決しようとする課題】
【０００４】
しかしながら、上記従来の蓋付き容器においても、蓋体を開栓している感覚をより一層高めることに対する要求があった。
【０００５】
そこで、本発明は、使用者が蓋体を開栓している感覚をより一層得ることができる蓋付き容器を提供することを目的とする。
【課題を解決するための手段】
【０００６】
本発明は、上記課題を解決するために以下のような手段を採用した。すなわち、本発明の蓋付き容器は、内容物が収容される有底筒状の容器本体と、前記容器本体の口部に離脱可能に螺着された有頂筒状の蓋体と、を備える蓋付き容器であって、前記蓋体には、前記口部に離脱可能に配設され、前記蓋体と前記口部との間をシールするシール部が設けられており、前記蓋体と前記口部との螺着が解除された状態で、前記シール部が前記口部に嵌合されて前記蓋体と前記口部との間のシールを維持していることを特徴とする。
【０００７】
この発明では、蓋体を口部に対して容器軸回りに回転させることによって蓋体と口部との螺着を解除した後に、蓋体を口部に対して容器軸に沿う容器本体の底部側から離間する方向（上方）に移動させることにより、容器本体内と外部との間に圧力差が形成され、容器本体の内圧開放に伴って音が発生するので、蓋体を開栓している感覚を一層高めることができる。
すなわち、蓋体を容器本体の口部から螺着解除していくと、蓋体は、口部に対して上昇していく。ここで、内容物が例えば水であるときなど発泡性がない場合には、シール部が蓋体と口部との間のシールを維持しているので、蓋体を口部に対して上昇させていくと、容器本体の内圧が減圧されていく。一方、内容物が例えば炭酸飲料であるときなど発泡性がある場合には、シール部が蓋体と口部との間のシールを維持しているので、蓋体が口部に対して上昇させていく間に、容器本体内の陽圧が維持される。そして、蓋体を口部から螺着解除した後、シール部が蓋体と口部とのシールを維持しているので、蓋体を口部に対してさらに上昇させても、容器本体の内圧（陰圧または陽圧）が維持される。その後、蓋体を口部から離脱させてシール部によるシールを解除すると、離脱の直前に容器本体の内部と外部との間に差圧があり、容器本体の内部と外部との間で空気が流動することにより、容器本体の内圧（陰圧または陽圧）が開放される。このとき、音や感触が発生する。なお、蓋体を口部から離脱させてシール部によるシールを解除する際に容器本体の内部と外部との間に圧力差が生じているのであれば、内容物は、容器本体内を減圧または加圧した状態で充填されてもよい。ここで、容器本体内を加圧した状態で内容物を充填する場合には、上述のようにシール部によるシールを解除するために蓋体を口部に対して上昇させていくと、それ伴って容器本体内が減圧されるので、容器本体の内部と外部との間に圧力差が形成されるようにこの減圧分を考慮する。
このように、蓋体を容器本体から離脱させたとき生じる音や感触などにより、蓋体を開栓している感覚をより一層高めることができる。また、このような音や感触を通して、使用者は、蓋付き容器の開栓、開封が初めてなされたことを強く感じ、容器本体内に収容されている内容物の新鮮さ（例えば内容物の鮮度が高い状態や鮮度が保たれた状態）を容易に認識することができる。
【０００８】
また、本発明の蓋付き容器では、前記蓋体が、前記口部に離脱可能に螺着された有頂筒状の蓋本体と、前記蓋本体に破断可能な弱化部を介して連結され、前記口部に対して容器軸に沿う前記容器本体の底部側から係止する分離リングと、を有し、前記蓋体と前記口部との螺着が解除された状態で、前記分離リングが前記蓋本体から分離されていてもよい。
この発明では、蓋体を容器本体の口部から螺着解除していくと、分離リングが蓋本体から分離されたときに分離リングを分離させる音や感触が生じるので、蓋体を開栓している感覚をさらに一層高めることができる。
【０００９】
また、本発明の蓋付き容器では、前記口部には、前記蓋体が離脱可能に螺着された筒状のネジ筒部材が当該口部に対して前記容器軸回りに回転不能に装着されており、前記シール部が、前記ネジ筒部材に離脱可能に嵌合されていてもよい。
この発明では、口部に蓋体を螺着させるためのネジ部が形成されていない場合であっても、口部にネジ筒部材を装着することによって上述した機能を有する蓋付き容器を形成することができる。そのため、容器本体の構成を大きく変更することなく、蓋体を開栓している感覚をより一層高める効果を付与することができる。
【発明の効果】
【００１０】
この発明にかかる蓋付き容器によれば、蓋体を容器本体から離脱させたとき生じる音や感触などにより、蓋体を開栓している感覚をより一層高めることができる。また、このような音や感触を通して、使用者に対して容器本体が初めて開栓、開封されたことを強く認識させる共に、容器本体内に収容されている内容物の新鮮さ（例えば内容物の鮮度が高い状態や鮮度が保たれた状態）を容易に認識させることができる。
【図面の簡単な説明】
【００１１】
【図１】本発明の第１実施形態にかかる蓋付き容器を示す軸方向断面図である。
【図２】図１の蓋体を示す上面図である。
【図３】図１の蓋付き容器の使用方法を説明する軸方向断面図である。
【図４】本発明の第２実施形態にかかる蓋付き容器を示す軸方向断面図である。
【図５】図４の蓋付き容器の使用方法を説明する軸方向断面図である。
【図６】本発明の第３実施形態にかかる蓋付き容器を示す軸方向断面図である。
【図７】図６の蓋付き容器の使用方法を説明する軸方向断面図である。
【発明を実施するための形態】
【００１２】
以下、本発明による蓋付き容器の第１実施形態を、図面に基づいて説明する。なお、以下の説明に用いる各図面では、各部材を認識可能とするために縮尺を適宜変更している場合がある。
本実施形態にかかる蓋付き容器１は、図１及び図２に示すように、内部に内容物が収容された有底円筒状の容器本体２と、容器本体２の円筒状の口部３に装着された有頂円筒状の蓋体４と、を備える。内容物としては、例えば水のような発泡性のない液体や炭酸飲料のような発泡性の液体などが挙げられるが、このような液体に限定されず、ゲル状や固体状の内容物など他の形態の内容物であってもよい。また、内容物としては、特に飲料や食品のような鮮度を要求されるものが好適に挙げられる。
ここで、容器本体２及び蓋体４は、それらの中心軸線が共通軸上に位置する状態で配設されている。以下、この中心軸線を容器軸Ｏと称し、図１に示すように、容器軸Ｏに沿って容器本体２の底部から蓋体４に向かう方向を上方、その逆方向を下方とする。また、容器軸Ｏから見た平面視で容器軸Ｏに交差する方向を径方向、容器軸Ｏ回りで周回する方向を周方向とする。
【００１３】
容器本体２は、例えばポリエチレンテレフタレートなどの合成樹脂材料により一体に形成されており、有底円筒状の胴部５と、胴部５の上端に連設された口部３と、を有する。容器本体２は、口部３に蓋体４を螺着することによって、密封されている。
口部３の下端部には、平面視で円環状の係止突起部６と、係止突起部６よりも下方に位置し、平面視で円環状のネックリング７と、が径方向外側に向けて突設されている。
【００１４】
さらに、口部３には、円筒状のネジ筒部材１０が装着されている。ネジ筒部材１０は、口部３の外側に配設される円筒状の外筒部１１と、口部３の内側に配設される円筒状の内筒部１２と、外筒部１１の上端と内筒部１２の上端とを接続する平面視で円環状の環状接続部１３と、を有する。これら外筒部１１、内筒部１２及び環状接続部１３は、容器軸Ｏと同軸に配設されている。
【００１５】
外筒部１１は、口部３のうち係止突起部６よりも上方の部分に外嵌されており、外筒部１１の上端部は、口部３の上端縁よりも上方に突出している。また、外筒部１１の外周面には、第１ネジ部１１Ａが形成されている。さらに、外筒部１１の下端部には、後述する冶具が係止可能な係止溝部１１Ｂ（図３参照）が周方向に間隔をあけて複数形成されている。そして、外筒部１１の内周面には、上下方向に延在する通気溝部１１Ｃが形成されている。
【００１６】
内筒部１２は、口部３内に嵌合されており、内筒部１２の上端部は、口部３の上端縁よりも上方に突出している。また、内筒部１２の上端部と下端部との接続部分における内周面には、段部１２Ａが形成されており、この段部は、口部３の上端縁に載置されている。さらに、内筒部１２の内周面には、平面視で円環状のシール突部１２Ｂが径方向内側に向けて突設されている。シール突部１２Ｂは、内筒部１２の全周にわたって形成されている。内筒部１２は、外筒部１１と共に口部３を径方向で挟み込むことにより、ネジ筒部材１０を口部３に対して容器軸Ｏ回りに回転不能に装着している。
【００１７】
蓋体４は、ネジ筒部材１０に螺着された有頂円筒状の蓋本体２１と、蓋体４の下端に弱化部２２を介して連結された円環状の分離リング２３と、を有する。これら蓋本体２１及び分離リング２３は、容器軸Ｏと同軸に配設されている。
蓋本体２１は、有底円筒状の天壁部３１と、天壁部３１の下面から下方に延設され、外筒部１１に螺着される円筒状の側壁部３２と、を有する。これら天壁部３１及び側壁部３２は、容器軸Ｏと同軸に配設されている。
【００１８】
天壁部３１は、平面視で円状の底板部３３と、底板部３３の外周縁から上方に延設された円筒状のシール筒部（シール部）３４と、シール筒部３４の上端から径方向外側に延設された平面視で円環状の環状板部３５と、を有する。これら底板部３３、シール筒部３４及び環状板部３５は、容器軸Ｏと同軸に配設されている。
底板部３３は、上下方向で係止突起部６とネックリング７との間に位置している。
シール筒部３４は、内筒部１２よりも径方向内側に配設されており、シール筒部３４の外周面は、シール突部１２Ｂに当接している。蓋体４を口部３に装着した状態で、シール筒部３４のうちシール突部１２Ｂとの当接部分とシール筒部３４の下端との間の上下方向の距離は、蓋体４をネジ筒部材１０から螺着解除するまでのネジ筒部材１０に対する移動距離よりも長くなっている。
【００１９】
環状板部３５は、環状接続部１３の上面に当接しており、環状板部３５の外周縁部には、径方向外側に突出する操作部３５Ａが周方向に等間隔をあけて複数（本実施形態では６つ）形成されている。操作部３５Ａは、側壁部３２よりも径方向外側に突出している。
側壁部３２の内周面には、外筒部１１の第１ネジ部１１Ａと螺合する第２ネジ部３２Ａが形成されている。側壁部３２の下端縁は、外筒部１１の下端縁よりも若干上方に位置している。
【００２０】
分離リング２３は、弱化部２２を介して側壁部３２の下端縁に連結されている。分離リング２３は、ネックリング７よりも上方に位置しており、係止突起部６と口部３のうち係止突起部６よりも下側の部分とを径方向外側から囲繞している。分離リング２３は、円筒状のリング本体３６と、リング本体３６の内周面から径方向内側に向けて延設された係止部３７と、を有する。
係止部３７は、周方向に間隔をあけて複数設けられており、径方向内側に向かうにしたがって上方に向かうように傾斜している。そして、係止部３７の先端部は、蓋体４を口部３に装着した後に係止部３７を上方へ折り返すことによって、係止突起部６に対して下方から係止している。
【００２１】
次に、以上のような構成の蓋付き容器１の使用方法を説明する。
例えば操作部３５Ａに指をかけて蓋体４を口部３に対して螺着解除方向で容器軸Ｏ回りに回転させていくと、ネジ筒部材１０が口部３に対して容器軸Ｏ回りに回転不能に装着されているので、蓋体４が口部３に対して上昇していく。ここで、シール突部１２Ｂがシール筒部３４に摺接しているので、蓋体４は、ネジ筒部材１０、ひいては容器本体２との間のシールを維持しつつ上昇する。そのため、内容物が例えば水など発泡性がない場合には、蓋体４が口部３に対して上昇するにしたがって、容器本体２の内圧が減少する。また、内容物が例えば炭酸飲料などである場合には、蓋体４が口部３に対して上昇しても、容器本体２の陽圧状態が維持される。
【００２２】
一方、分離リング２３は、係止部３７が係止突起部６に対して下方から係止しているので、蓋体４と共には上昇しない。そのため、蓋体４を口部３に対して螺着解除すると、弱化部２２が破断し、分離リング２３は、蓋本体２１から分離される。この状態において、図３において仮想線で示すように、シール突部１２Ｂは、シール筒部３４に当接しており、蓋体４と容器本体２との間のシールが維持されている。
【００２３】
図３に示すように、蓋体４とネジ筒部材１０との間の螺着を解除した後に蓋体４を口部３に対して引き上げると、内容物が例えば水など発泡性がない場合には、蓋体４の上昇に伴って、容器本体２の内圧がさらに減少する。また、内容物が例えば炭酸飲料などである場合には、蓋体４が口部３に対して上昇しても、容器本体２の陽圧状態が依然として維持される。このように、シール筒部３４は、蓋体４をネジ筒部材１０から離脱させてシール筒部３４によるシールを解除する際に、容器本体２の内部と外部との間に差圧を生じさせる。そして、シール筒部３４がシール突部１２Ｂよりも上方に上昇すると、容器本体２の内圧（陰圧または陽圧）が開放され、内圧の開放と同時に例えば「ポン」などの音が生じる。また、音の発生に伴って感触なども生じる。
【００２４】
ここで、分離リング２３を蓋本体２１から分離する前は、蓋体４とネジ筒部材１０とが螺合しているので、蓋体４をネジ筒部材１０に対して螺着解除方向で容器軸Ｏ回りに回転させることで、係止突起部６に対して下方から係止している係止部３７の抵抗力に抗して、蓋本体２１をネジ筒部材１０に対して確実に上昇させる。その後、蓋体４とネジ筒部材１０との間の螺着を解除すると、第１及び第２ネジ部１１Ａ、３２Ａが螺合していないので、蓋体４を口部３に対して勢いよく引き上げることができる。これにより、容器本体２の内圧を急速に開放させて、内圧開放時に生じる音や感触をより確実に発生させる。その後、適宜内容物を注出する。
以上のようにして、蓋付き容器１を使用する。
【００２５】
なお、蓋付き容器１を製造する際には、まず、蓋体４とネジ筒部材１０とを組み立てる。蓋体４のシール筒部３４と側壁部３２との間の空間にネジ筒部材１０を挿入し、適宜冶具を係止溝部１１Ｂに係止させて蓋体４とネジ筒部材１０とを相対的に容器軸Ｏ回りに回転させることにより、蓋体４にネジ筒部材１０を螺着させる。続いて、内容物を充填した容器本体２の口部３に、このような蓋体４及びネジ筒部材１０の組立体を打栓する。打栓時における容器本体２内の余剰空気は、ネジ筒部材１０の外筒部１１に形成された通気溝部１１Ｃを通して外部に放出される。打栓後は、シール突部１２Ｂによって蓋体４と口部３との間のシールが維持されるので、容器本体２内の気体は、通気溝部１１Ｃを通して外部に放出されない。蓋体４及びネジ筒部材１０の組立体を口部３に打栓した後、係止部３７を上方に折り返して係止突起部６に対して下方から係止させる。以上のようにして、蓋付き容器１を製造する。なお、蓋体４とネジ筒部材１０とは、他の冶具を用いたり冶具を係止溝部１１Ｂに係止させる以外の他の方法を用いたりすることによって組み立てられてもよい。また、蓋体４を口部３から離脱させてシール筒部３４によるシールを解除する際に容器本体２の内部と外部との間に圧力差が生じるのであれば、内容物は、容器本体２内を減圧または加圧した状態で充填されてもよい。
【００２６】
以上、本実施形態にかかる蓋付き容器１によれば、蓋体４を口部３から離脱させたときに容器本体２の内圧開放に伴って音や感触を生じさせるので、蓋体４を開栓している感覚をより一層高めることができる。また、容器本体２の内圧開放に伴う音や感触を通して、使用者に対して蓋付き容器１が初めて開栓、開封されたことを強く感じさせ、容器本体２内に収容されている内容物の鮮度が高い状態や鮮度が保たれている状態のような内容物の新鮮さを容易に認識させることができる。そして、容器本体２の内圧開放に伴う音や感触に加えて、分離リング２３を分離させる際に生じる音や感触により、蓋体４を開栓している感覚をさらに一層高めることができる。
さらに、口部３に蓋体４を螺着させるためのネジ部が形成されていなくても、口部３にネジ筒部材１０を装着することによって上述した機能を有する蓋付き容器１を形成することができるので、容器本体２の構成を大きく変更することなく、蓋体４を開栓している感覚をより一層高める効果を付与することができる。
【００２７】
次に、本発明による蓋付き容器の第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００２８】
本実施形態にかかる蓋付き容器５０では、図４に示すように、容器本体５１の口部５２に第１ネジ部５２Ａが形成されており、有頂円筒状の蓋体５３が口部５２に直接螺着されている。
口部５２の上端縁と第１ネジ部５２Ａの上端との間の上下方向の長さは、従来の容器本体の口部（例えば、第１実施形態にかかる容器本体２の口部）と比較して、例えば約３ｍｍ長くなっている。
蓋体５３の蓋本体５４は、平面視で円状の天壁部５５と、天壁部５５の外周縁から下方に向けて延設された円筒状の側壁部５６と、を有する。これら天壁部５５及び側壁部５６は、容器軸Ｏと同軸に配設されている。
【００２９】
天壁部５５は、口部５２の上端縁に当接しており、天壁部５５の下面には、円筒状のシール筒部（シール部）５５Ａが下方に向けて突設されている。シール筒部５５Ａは、下方に向かうにしたがって若干拡径するように傾斜しており、シール筒部５５Ａの下端部は、口部５２の内周面に摺接している。シール筒部５５Ａのうち口部５２の内周面に当接する部分と口部５２の上端縁との間の上下方向の距離は、蓋体５３を口部５２から螺着解除するための口部５２に対する蓋体５３の移動距離よりも長くなっている。
【００３０】
以上のような構成の蓋付き容器５０の使用方法は、上述した第１実施形態にかかる蓋付き容器１の使用方法と同様であり、蓋体５３を口部５２に対して容器軸Ｏ回りに回転させると、図５に示すように、蓋体５３は、シール筒部５５Ａが口部５２の内周面に摺接した状態で口部５２に対して上昇する。ここで、内容物が例えば水など発泡性がない場合には、容器本体５１の内圧が減少し、内容物が例えば炭酸飲料などである場合には、容器本体５１の陽圧状態が維持される。また、分離リング２３は、弱化部２２が破断することによって蓋本体５４から分離される。そして、蓋体５３と口部５２との間の螺着を解除した後に、蓋体５３を容器本体５１から引き抜く。このとき、容器本体５１の内圧（陰圧または陽圧）が開放され、音や感触が生じる。
以上のようにして、蓋付き容器５０を使用する。
【００３１】
以上、本実施形態にかかる蓋付き容器５０によっても、上述した第１実施形態にかかる蓋付き容器１と同様の作用、効果を奏する。
【００３２】
次に、本発明による蓋付き容器の第３実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００３３】
本実施形態にかかる蓋付き容器６０においても、図６に示すように、容器本体６１の口部６２に第１ネジ部６２Ａが形成されており、有頂円筒状の蓋体６３が口部６２に直接螺着されている。
口部６２の上端部には、径方向外側に向けて突出する摺接突部６２Ｂが全周にわたって形成されている。摺接突部６２Ｂの上端は、口部６２の上端縁に至る。また、口部６２の上端縁と第１ネジ部６２Ａの上端との間の上下方向の長さは、上述した第２実施形態にかかる容器本体５１と同様に、従来の容器本体と比較して、例えば約３ｍｍ長くなっている。
蓋体６３の蓋本体６４は、平面視で円状の天壁部６５と、天壁部６５の外周縁から下方に向けて延設された円筒状の側壁部６６と、を有する。これら天壁部６５及び側壁部６６は、容器軸Ｏと同軸に配設されている。
【００３４】
天壁部６５は、口部６２の上端縁に当接しており、天壁部６５の下面には、円筒状のシール筒部６５Ａが下方に向けて突設されている。シール筒部６５Ａは、口部６２の内周面に当接しているが、第２実施形態にかかるシール筒部５５Ａよりも上下方向の長さが短くなっている。
側壁部６６のうち第２ネジ部６６Ａよりも上側の部分には、摺接突部６２Ｂに摺接するシール突部（シール部）６６Ｂが径方向内側に向けて突設されている。シール突部６６Ｂは、側壁部６６の全周にわたって形成されている。
シール突部６６Ｂと口部６２の上端縁との間の上下方向の距離は、蓋体６３を口部６２から螺着解除するための口部６２に対する蓋体６３の移動距離よりも長くなっている。
【００３５】
以上のような構成の蓋付き容器６０の使用方法は、上述した第１及び第２実施形態にかかる蓋付き容器１、５０の使用方法と同様であり、蓋体６３を口部６２に対して容器軸Ｏ回りに回転させると、図７に示すように、蓋体６３は、シール突部６６Ｂが摺接突部６２Ｂに摺接した状態で口部６２に対して上昇する。ここで、内容物が例えば水など発泡性がない場合には、容器本体６１の内圧が減少し、内容物が例えば炭酸飲料などである場合には、容器本体６１の陽圧状態が維持される。また、分離リング２３は、弱化部２２が破断することによって蓋本体６４から分離される。このとき、シール筒部６５Ａは、口部６２の上端よりも上方に位置しており、シール筒部６５Ａによる蓋体６３と容器本体６１との間のシールは解除されている。そして、蓋体６３と口部６２との間の螺着を解除した後に、蓋体６３を容器本体６１から引き抜く。このとき、容器本体６１の内圧（陰圧または陽圧）が開放され、音や感触が生じる。
以上のようにして、蓋付き容器６０を使用する。
【００３６】
以上、本実施形態にかかる蓋付き容器６０によっても、上述した第１及び第２実施形態にかかる蓋付き容器１、５０と同様の作用、効果を奏する。
【００３７】
なお、本発明は上記実施形態に限定されるものではなく、本発明の趣旨を逸脱しない範囲において種々の変更を加えることができる。
例えば、第１実施形態において、ネジ筒部材のシール筒部がシール部として機能しているが、例えば第３実施形態におけるシール部と同様に、ネジ筒部材の側壁部にシール部を設けるような構成としてもよい。このように、第１から第３実施形態にかかる構成を適宜組み合わせたり置換したりしてもよい。
蓋本体には、分離リングが弱化部を介して連結されているが、分リングが連結されていなくてもよい。また、分離リング部は、口部に形成された係止突起部に対して下方から係止しているが、口部の他の部分に対して下方から係止してもよく、例えば第１実施形態においてネジ筒部材に係止突起部を形成し、この係止突起部に対して下方から係止するように構成されてもよい。
各構成部材の説明において、「円筒状」などと記載しているが、楕円状や、三角形状、矩形状のような他の多角形状など、適宜他の形状であってもよい。
容器本体は、内圧の増減によって容積が実質的に増減しない容器であれば、他の構成であってもよい。
【産業上の利用可能性】
【００３８】
この発明によれば、使用者が蓋体を開栓している感覚をより一層得ることができる蓋付き容器に関して、産業上の利用可能性が認められる。
【符号の説明】
【００３９】
１，５０，６０  容器、２，５１，６１  容器本体、３，５２，６２  口部、４，５３，６３  蓋体、１０  ネジ筒部材、２１，５４，６４  蓋本体、２２  弱化部、２３  分離リング、３４，５５Ａ  シール筒部（シール部）、６６Ｂ  シール突部（シール部）
【図１】
2020001794.tif 000003
【図２】
2020001794.tif 000004
【図３】
2020001794.tif 000005
【図４】
2020001794.tif 000006
【図５】
2020001794.tif 000007
【図６】
2020001794.tif 000008
【図７】
2020001794.tif 000009